(57)【要約】【課題】被検体内の一連の画像を観察するとともに画像の表示操作を簡易に行うことができること。【解決手段】被検体内を時系列に沿って撮像した一連の画像を表示するとともに、所定の大きさに形成した特定領域を表示する表示部１２と、前記画像の表示操作を行う入力ボタン群を有する入力部１１と、表示画面上のカーソルが前記特定領域内にある場合、入力部１１のボタン操作によって前記画像の表示操作を行うボタン操作モードに設定し、前記カーソルが前記特定領域外にある場合、少なくとも前記表示画面上の位置と前記カーソルの位置とに対応した前記画像の表示操作を行うカーソル操作モードに設定する制御を行う制御部１５と、を備える。【選択図】        図２
2006288611.tif 000002
【特許請求の範囲】
【請求項１】
被検体内を時系列に沿って撮像した一連の画像を表示するとともに、所定の大きさに形成した特定領域を表示する表示手段と、
前記画像の表示操作を行う入力ボタン群を有する入力手段と、
表示画面上のカーソルが前記特定領域内にある場合、前記入力手段のボタン操作によって前記画像の表示操作を行うボタン操作モードに設定し、前記カーソルが前記特定領域外にある場合、少なくとも前記表示画面上の位置と前記カーソルの位置とに対応した前記画像の表示操作を行うカーソル操作モードに設定する制御を行う制御手段と、
を備えたことを特徴とする画像表示装置。
【請求項２】
前記入力手段は、ポインティングデバイスであり、
前記制御手段は、前記ボタン操作モードにおいて、前記ポインティングデバイスのボタン操作毎に前記画像の表示操作状態を次の表示操作状態にモード移行する制御を行うことを特徴とする請求項１に記載の画像表示装置。
【請求項３】
前記制御手段は、前記画像の表示操作状態をモード移行した場合、その都度、前記ポインティングデバイスの次のボタン操作によってモード移行する次の表示操作状態を更新することを特徴とする請求項２に記載の画像表示装置
【請求項４】
前記入力手段は、キーボードまたはテンキーであり、
前記制御手段は、前記ボタン操作モードにおいて、前記キーボードまたはテンキーのボタン操作毎に前記表示操作状態を次の表示操作状態にモード移行する制御を行うことを特徴とする請求項１に記載の画像表示装置。
【請求項５】
前記制御手段は、前記キーボードまたはテンキーの入力ボタン群のうちの互いに隣り合う各入力ボタンに前記画像の表示操作状態と次の表示操作状態とをそれぞれ割り当てることを特徴とする請求項４に記載の画像表示装置。
【請求項６】
前記制御手段は、前記ボタン操作モードに設定した場合、前記表示手段に対し、前記表示操作状態を次の表示操作状態にモード移行する前記入力手段のボタン操作を説明するガイダンス画像を表示する制御を行うことを特徴とする請求項２〜５のいずれか一つに記載の画像表示装置。
【請求項７】
前記次の表示操作状態は、他の表示操作状態に比して、前記表示操作状態の次にモード移行する表示操作状態として優先度の高いものであることを特徴とする請求項２〜６のいずれか一つに記載の画像表示装置。
【請求項８】
前記制御手段は、前記表示手段に対し、前記表示操作状態を示す状態画像を表示する制御を行うことを特徴とする請求項２〜７のいずれか一つに記載の画像表示装置。
【請求項９】
前記表示手段は、前記表示画面上の位置に前記表示操作状態を指定する表示操作アイコン群を表示し、
前記状態画像は、前記表示操作アイコン群のいずれかを示す記号を表示することを特徴とする請求項１０に記載の画像表示装置。
【請求項１０】
前記制御手段は、前記表示手段に対し、モード移行後の表示操作状態と同じ表示操作状態を指定する前記表示操作アイコン群のいずれかを強調表示する制御を行うことを特徴とする請求項９に記載の画像表示装置。
【発明の詳細な説明】
【技術分野】
【０００１】
この発明は、時系列に沿って撮像した被検体内の一連の画像を表示する画像表示装置に関するものである。
【背景技術】
【０００２】
近年、内視鏡分野においては、撮像機能と無線通信機能とを設けた飲込み型のカプセル型内視鏡が提案され、このカプセル型内視鏡を用いて被検体内の画像を取得するカプセル型内視鏡システムが開発されている。カプセル型内視鏡は、観察（検査）のために被検体の口から飲込まれた後、自然排出されるまでの間、体腔内たとえば胃、小腸等の臓器の内部をその蠕動運動に従って移動するとともに、たとえば０．５秒間隔で被検体内の画像を撮像するように機能する。
【０００３】
カプセル型内視鏡が被検体内を移動する間、このカプセル型内視鏡によって撮像された画像は、順次無線通信によって外部の受信装置に送信される。受信装置は、無線通信機能とメモリ機能とを有し、被検体内のカプセル型内視鏡から受信した画像をメモリに順次格納する。被検体は、かかる受信装置を携帯することによって、カプセル型内視鏡を飲込んでから自然排出するまでの間に亘り、自由に行動できる。カプセル型内視鏡が被検体から自然排出された後、医師または看護師においては、メモリに蓄積された画像を画像表示装置に取り込ませ、被検体内の臓器の画像を画像表示装置に表示させて被検体の診断を行うことができる（たとえば、特許文献１参照。）。
【０００４】
かかる画像表示装置は、一般的に、被検体内の一連の画像に含まれる各画像をそれぞれ静止画像として表示し、または、これらの各画像を連続的に表示することによって被検体内の擬似的な動画像を表示する。このような動画像表示機能を有する画像表示装置として、画面上で動画像の表示操作を行うために、矩形の表示領域であるスライダーとこのスライダー内を移動するツマミとを画面に表示し、マウスを用いたドラッグ操作によって、かかるツマミを移動させて動画像の表示操作を行うものがある（たとえば、特許文献２参照。）。この特許文献２に記載された画像表示装置は、画面上のスライダーの中心近傍に原点が設けられ、この原点に対して離間するようにツマミを移動させた場合、このツマミの位置に応じた再生速度で動画像を表示する。一方、画像の移動方向および移動速度を操作するための複数のボタン部が形成されたアイコンを表示し、マウスを動かしてかかるアイコンのボタン部のいずれかを選択してクリック操作することによって、画面上の画像を所望の方向に移動させる機能を有する画像表示装置もある（たとえば、特許文献３参照。）。
【０００５】
【特許文献１】特開２００３−１９１１１号公報
【特許文献２】特開平１１−３２３０４号公報
【特許文献３】特開２００３−３４６１７２号公報
【発明の開示】
【発明が解決しようとする課題】
【０００６】
しかしながら、上述した従来の画像表示装置は、所望の画像群たとえば被検体内の一連の画像を所望の再生速度および再生方向（すなわち時系列の順方向または逆方向）に切り替えて表示する場合、その都度、マウスを動かす表示操作、具体的には画面上のカーソルをアイコン等に移動させてクリック操作またはドラッグ操作を行わなければならない。このため、被検体内の一連の画像をそれぞれ観察しつつ、かかる画像の表示操作を行うことは困難な場合が多いという問題点があった。
【０００７】
この発明は、上記事情に鑑みてなされたものであって、被検体内の一連の画像を観察するとともに画像の表示操作を簡易に行うことができる画像表示装置を提供することを目的とする。
【課題を解決するための手段】
【０００８】
上述した課題を解決し、目的を達成するために、請求項１にかかる画像表示装置は、被検体内を時系列に沿って撮像した一連の画像を表示するとともに、所定の大きさに形成した特定領域を表示する表示手段と、前記画像の表示操作を行う入力ボタン群を有する入力手段と、表示画面上のカーソルが前記特定領域内にある場合、前記入力手段のボタン操作によって前記画像の表示操作を行うボタン操作モードに設定し、前記カーソルが前記特定領域外にある場合、少なくとも前記表示画面上の位置と前記カーソルの位置とに対応した前記画像の表示操作を行うカーソル操作モードに設定する制御を行う制御手段と、を備えたことを特徴とする。
【０００９】
また、請求項２にかかる画像表示装置は、上記発明において、前記入力手段は、ポインティングデバイスであり、前記制御手段は、前記ボタン操作モードにおいて、前記ポインティングデバイスのボタン操作毎に前記画像の表示操作状態を次の表示操作状態にモード移行する制御を行うことを特徴とする。
【００１０】
また、請求項３にかかる画像表示装置は、上記発明において、前記制御手段は、前記画像の表示操作状態をモード移行した場合、その都度、前記ポインティングデバイスの次のボタン操作によってモード移行する次の表示操作状態を更新することを特徴とする。
【００１１】
また、請求項４にかかる画像表示装置は、上記発明において、前記入力手段は、キーボードまたはテンキーであり、前記制御手段は、前記ボタン操作モードにおいて、前記キーボードまたはテンキーのボタン操作毎に前記表示操作状態を次の表示操作状態にモード移行する制御を行うことを特徴とする。
【００１２】
また、請求項５にかかる画像表示装置は、上記発明において、前記制御手段は、前記キーボードまたはテンキーの入力ボタン群のうちの互いに隣り合う各入力ボタンに前記画像の表示操作状態と次の表示操作状態とをそれぞれ割り当てることを特徴とする。
【００１３】
また、請求項６にかかる画像表示装置は、上記発明において、前記制御手段は、前記ボタン操作モードに設定した場合、前記表示手段に対し、前記表示操作状態を次の表示操作状態にモード移行する前記入力手段のボタン操作を説明するガイダンス画像を表示する制御を行うことを特徴とする。
【００１４】
また、請求項７にかかる画像表示装置は、上記発明において、前記次の表示操作状態は、他の表示操作状態に比して、前記表示操作状態の次にモード移行する表示操作状態として優先度の高いものであることを特徴とする。
【００１５】
また、請求項８にかかる画像表示装置は、上記発明において、前記制御手段は、前記表示手段に対し、前記表示操作状態を示す状態画像を表示する制御を行うことを特徴とする。
【００１６】
また、請求項９にかかる画像表示装置は、上記発明において、前記表示手段は、前記表示画面上の位置に前記表示操作状態を指定する表示操作アイコン群を表示し、前記状態画像は、前記表示操作アイコン群のいずれかを示す記号を表示することを特徴とする。
【００１７】
また、請求項１０にかかる画像表示装置は、上記発明において、前記制御手段は、前記表示手段に対し、モード移行後の表示操作状態と同じ表示操作状態を指定する前記表示操作アイコン群のいずれかを強調表示する制御を行うことを特徴とする。
【発明の効果】
【００１８】
この発明によれば、被検体内の一連の画像を観察するとともに画像の表示操作を簡易に行える画像表示装置を実現できるという効果を奏する。かかる画像表示装置を用いることによって、医師または看護師等の検査者は、表示画面上に表示した観察対象の画像の見落としを抑制できるとともに、かかる画像の表示操作を簡易に行うことができる。
【発明を実施するための最良の形態】
【００１９】
以下、図面を参照して、この発明にかかる画像表示装置の好適な実施の形態を詳細に説明する。なお、以下では、この発明にかかる画像表示装置の一例として、カプセル型内視鏡システムに用いられる画像表示装置を例示するが、このことはこの発明を限定するものではない。
【００２０】
図１は、この発明の実施の形態である画像表示装置を備えたカプセル型内視鏡システムの一構成例を模式的に例示する模式図である。図１に示すように、このカプセル型内視鏡システムは、被検体１内の通過経路に沿って移動するとともに被検体１内の画像を撮像するカプセル型内視鏡２と、カプセル型内視鏡２から無線送信された画像を受信して蓄積する受信装置３と、カプセル型内視鏡２が時系列に沿って撮像した被検体１内の画像を表示する画像表示装置４と、受信装置３と画像表示装置４との間の情報の受け渡しを行うための携帯型記録媒体５とを備える。
【００２１】
カプセル型内視鏡２は、被検体１内を撮像する撮像機能と被検体１内を撮像した画像を受信装置３に送信する無線通信機能とを有する。カプセル型内視鏡２は、被検体１に飲込まれることによって被検体１内の食道を通過し、消化管腔の蠕動によって体腔内を進行する。これと同時に、カプセル型内視鏡２は、所定間隔たとえば０．５秒間隔で被検体１内の画像を逐次撮像し、得られた被検体１内の画像を受信装置３に逐次送信する。
【００２２】
受信装置３は、受信アンテナ３ａ〜３ｈが接続され、受信アンテナ３ａ〜３ｈを用いてカプセル型内視鏡２と無線通信を行う。具体的には、受信装置３は、受信アンテナ３ａ〜３ｈのいずれかを介してカプセル型内視鏡２からの無線信号を受信し、受信した無線信号をもとに被検体１内の画像を取得する。また、受信装置３は、携帯型記録媒体５が着脱可能に装着され、カプセル型内視鏡２から逐次取得した被検体１内の画像を携帯型記録媒体５に逐次格納する。
【００２３】
受信アンテナ３ａ〜３ｈは、たとえばループアンテナを用いて実現され、カプセル型内視鏡２から送信された無線信号を受信する。受信アンテナ３ａ〜３ｈは、図１に示すように、被検体１の体表上の所定位置たとえばカプセル型内視鏡２の通過経路に対応する位置に配置される。なお、受信アンテナ３ａ〜３ｈは、被検体１に着用させるジャケットの所定位置に配置されてもよい。この場合、受信アンテナ３ａ〜３ｈは、被検体１がこのジャケットを着用することによって、カプセル型内視鏡２の通過経路に対応する被検体１の体表上の所定位置に配置される。また、被検体１には、複数の受信アンテナが配置されればよい。この場合、受信アンテナの配置数は、特に８つに限定されない。
【００２４】
携帯型記録媒体５は、コンパクトフラッシュ（登録商標）等の携帯可能な記録メディアである。携帯型記録媒体５は、受信装置３および画像表示装置４に対して着脱可能であって、両者に対する装着時に情報の出力および記録が可能な構造を有する。具体的には、携帯型記録媒体５は、受信装置３に装着した場合、受信装置３がカプセル型内視鏡２から取得した画像等のデータを逐次格納する。また、携帯型記録媒体５は、画像表示装置４に装着された場合、格納した画像等のデータが画像表示装置４に取り込まれ、または、被検体１に関する情報等が画像表示装置４によって書き込まれる。
【００２５】
画像表示装置４は、カプセル型内視鏡２によって撮像された画像等を表示するためのものであり、携帯型記録媒体５を媒介にして取得した被検体１内の画像を表示するワークステーション等のような構成を有する。この場合、画像表示装置４は、医師または看護師等の検査者が被検体１内の画像を観察して被検体１を診断するための処理機能を有する。検査者は、画像表示装置４に被検体１内の画像を順次表示させて被検体１内の部位たとえば食道、胃、小腸、および大腸等を観察（検査）し、これによって、被検体１を診断できる。
【００２６】
図２は、画像表示装置４の一構成例を模式的に示すブロック図である。図２に示すように、画像表示装置４は、被検体１内の画像を表示して観察するための各種情報を入力する入力部１１と、被検体１内の画像等の被検体１内を観察（検査）して診断するための各種情報を画面表示する表示部１２と、携帯型記録媒体５に蓄積された画像等のデータを取り込むリーダライタ１３とを有する。また、画像表示装置４は、被検体１内の画像等の被検体１内の観察および診断に必要な各種データを蓄積する記憶部１４と、画像表示装置４の各構成部の駆動制御を行う制御部１５とを有する。
【００２７】
入力部１１は、テンキー、キーボード、およびマウス等を用いて実現され、検査者による入力操作によって、制御部１５に対して指示する情報または被検体１に関する情報を制御部１５に入力する。また、入力部１１は、時系列の順方向または逆方向に沿って所望の再生速度（すなわち表示フレームレート）によって所望の画像群たとえば被検体１内の一連の画像を表示部１２に表示する表示操作を行うための入力ボタン群を有する。この場合、入力部１１は、たとえば、被検体１内の画像を表示部１２に表示するための指示情報、被検体１の名前（患者名）、性別、生年月日、および患者ＩＤ等の被検体１に関する情報を制御部１５に入力する。
【００２８】
表示部１２は、ＣＲＴディスプレイまたは液晶ディスプレイ等のディスプレイを用いて実現され、制御部１５によって表示指示された各種情報を表示する。この場合、表示部１２は、たとえばカプセル型内視鏡２によって撮像された被検体１内の一連の画像を時系列の順方向または逆方向に沿って所望の再生速度で表示する。なお、かかる表示部１２による表示画面の具体例については、後述する。
【００２９】
リーダライタ１３は、上述した携帯型記録媒体５を着脱可能に装着し、装着した携帯型記録媒体５に蓄積されたデータたとえば被検体１内の一連の画像を取り込むとともに、得られたデータを制御部１５に転送する。また、リーダライタ１３は、装着した携帯型記録媒体５に対し、制御部１５によって書込指示された情報たとえば被検体１に関する情報を書き込む。
【００３０】
記憶部１４は、制御部１５によって書込指示された情報たとえば被検体１内の一連の画像および被検体１に関する情報等を蓄積する。また、記憶部１４は、制御部１５によって読み出し指示された蓄積情報を読み出すとともに制御部１５に転送する。なお、記憶部１４は、ＲＡＭ、ＥＥＰＲＯＭ、またはハードディスク等の情報の蓄積および読み出しが可能な情報記録手段を用いて自身に各種情報を蓄積するように構成してもよいし、ＣＤまたはＤＶＤ等の携帯型記録媒体を着脱可能に装着し、装着したＣＤまたはＤＶＤ等に情報を蓄積するように構成してもよい。
【００３１】
制御部１５は、上述したように、画像表示装置４の各構成部たとえば入力部１１、表示部１２、リーダライタ１３、および記憶部１４の駆動制御を行い、かかる各構成部に対する情報の入出力制御と、かかる各構成部との間で各種情報を入出力するための情報処理とを行う。また、制御部１５は、携帯型記録媒体５を媒介にしてたとえば被検体１内の一連の画像を取り込んだ場合、かかる一連の画像の各画像と各画像に関する時間情報とをそれぞれ対応付けて記憶部１４に格納する。
【００３２】
また、制御部１５は、モード切替制御部１５ａと表示制御部１５ｂとを有する。モード切替制御部１５ａは、たとえば被検体１内の一連の画像を表示部１２に表示するための表示操作モードを切り替える制御を行う。この場合、モード切替制御部１５ａは、表示部１２の表示画面上のカーソルの位置に応じて、ボタン操作モードおよびカーソル操作モードのいずれかに表示操作モードを切り替えて設定する。また、モード切替制御部１５ａは、入力部１１を用いた表示操作に対応して、表示部１２に表示する画像の表示操作状態を切り替える制御を行う。この場合、モード切替制御部１５ａは、入力部１１を用いた表示操作毎に画像の表示操作状態を次の表示操作状態にモード移行する。
【００３３】
なお、このカーソル操作モードとは、少なくとも表示画面上の位置とカーソルの位置とに対応した画像の表示操作を行うものであって、たとえば表示画面上に形成した表示操作アイコン群のいずれかとカーソルの位置とに対応して（具体的には表示操作アイコン群のいずれかにカーソルを移動して）画像の表示操作状態を切り替える表示操作モードである。一方、このボタン操作モードとは、入力部１１のボタン操作によって画像の表示操作を行うものであって、かかる表示操作アイコン群のいずれかにカーソルを移動しなくとも、たとえばマウスまたはキーボードのボタン操作によって画像の表示操作状態を切り替える表示操作モードである。
【００３４】
また、上述した画像の表示操作状態とは、再生速度および再生方向（すなわち時系列の順方向または逆方向）によって分類される表示画面上での画像の状態であり、たとえば画像の表示を一時停止した状態（一時停止状態）、基準の再生速度で時系列の順方向に沿って画像を表示した状態（再生状態）、基準の再生速度に比して高速の再生速度で時系列の順方向に沿って画像を表示した状態（早再生状態）、時系列の順方向に沿ってコマ送りで画像を表示した状態（コマ再生状態）が挙げられる。さらに、上述した画像の表示操作状態として、かかる再生状態の再生方向を時系列の逆方向に代えて画像を表示した状態（逆再生状態）、かかる早再生状態の再生方向を時系列の逆方向に代えて画像を表示した状態（逆早再生状態）、かかるコマ再生状態の再生方向を時系列の逆方向に代えて画像を表示した状態（逆コマ再生状態）が挙げられる。
【００３５】
一方、表示制御部１５ｂは、表示部１２に対して各種情報を表示する制御を行う。この場合、表示制御部１５ｂは、たとえば被検体１内の一連の画像等の被検体１内を観察、診断するための情報を表示部１２に表示させる。また、表示制御部１５ｂは、上述したボタン操作モードにおいて、上述した画像の表示操作状態を切り替える（すなわち次の表示操作状態にモード移行する）ためのボタン操作を検査者に説明するガイダンス画像を表示部１２に表示する制御を行う。かかるガイダンス画像の詳細については、後述する。
【００３６】
つぎに、表示部１２が表示する表示画面を具体的に説明する。図３は、表示部１２の表示画面の一具体例を模式的に示す模式図である。図３に示すように、表示部１２の表示画面には、検査者が被検体内を観察（検査）するための観察画像を表示する主画像表示領域１００と、主画像表示領域１００に表示した画像から選択した所望の画像をサムネイル画像として追加表示する副画像表示領域１１０と、上述したカーソル操作モードにおいて主画像表示領域１００に表示する画像の表示操作を行うための表示操作アイコン１２１〜１２７とが形成される。また、表示部１２の表示画面には、入力部１１の操作によって表示画面上を移動するカーソルＫと、カーソルＫを出し入れ可能な大きさに形成した特定領域１３０と、画像の表示操作に用いる入力部１１を選択するユーザ設定を行うための設定アイコン１４０とが形成される。
【００３７】
主画像表示領域１００には、たとえば図３に示すように、被検体１内を観察（検査）するための観察画像１０１が表示される。かかる観察画像１０１は、カプセル型内視鏡２によって撮像された被検体１内の一連の画像に含まれるものであって、入力部１１の表示操作によって指定された表示操作状態で表示される。
【００３８】
副画像表示領域１１０には、検査者が入力部１１を操作して主画像表示領域１００の所望の画像を選択した場合、その都度、このように選択した所望の画像に対応するサムネイル画像が追加表示される。たとえば、主画像表示領域１００の観察画像１０１を選択した場合、この観察画像１０１に対応するサムネイル画像が副画像表示領域１１０に追加表示される。
【００３９】
表示操作アイコン１２１〜１２７は、上述したカーソル操作モードにおいて主画像表示領域１００に表示する画像の表示操作を行うためのものである。具体的には、上述したカーソル操作モードにおいて、表示操作アイコン１２１〜１２７のいずれかにカーソルＫを移動し、入力部１１を操作してカーソルＫの位置にある表示操作アイコンを選択することによって、主画像表示領域１００に表示する観察画像の表示操作状態を指定する。この場合、主画像表示領域１００には、このように指定した表示操作アイコンに対応する表示操作状態で観察画像が表示される。
【００４０】
なお、表示操作アイコン１２１は、カーソル操作モードにおいて観察画像の一時停止状態を指定するものであり、表示操作アイコン１２２〜１２４は、カーソル操作モードにおいて観察画像のコマ再生状態、再生状態、および早再生状態をそれぞれ指定するものである。また、表示操作アイコン１２５〜１２７は、カーソル操作モードにおいて観察画像の逆コマ再生状態、逆再生状態、および逆早再生状態をそれぞれ指定するものである。
【００４１】
特定領域１３０は、図３に示すように、その枠の内外にカーソルＫを出し入れできる大きさに形成した領域であって、たとえば主画像表示領域１００の近傍に形成される。また、特定領域１３０には、状態画像１３１とガイダンス画像１３２とが表示される。状態画像１３１は、主画像表示領域１００に表示中の画像の表示操作状態を検査者に示すためのものである。具体的には、状態画像１３１は、主画像表示領域１００に現在表示中の画像の表示操作状態を示すものとして、この表示操作状態と同じものを指定する表示操作アイコン（たとえば表示操作アイコン１２１〜１２７のいずれか）の記号を示すように表示される。この場合、状態画像１３１は、現在表示中の画像たとえば観察画像１０１が一時停止状態である場合、一時停止状態を指定する表示操作アイコン１２１の記号「||」を示すように表示される。
【００４２】
また、ガイダンス画像１３２は、上述したように、ボタン操作モードにおいて画像の表示操作状態を切り替える（すなわち次の表示操作状態にモード移行する）ための入力部１１のボタン操作を検査者に説明するためのものである。ガイダンス画像１３２は、たとえば画像の表示操作に用いる入力部１１としてマウスを選択するユーザ設定が予め行われた場合、図３に示すように、現在の表示操作状態（たとえば一時停止状態）から次の表示操作状態にモード移行するためのマウスのボタン操作を説明する。
【００４３】
図４は、ガイダンス画像１３２の一具体例を模式的に示す模式図である。図５は、入力部１１を構成するマウスを模式的に例示する模式図である。なお、図４には、一時停止状態において表示されるガイダンス画像を例示する。図４に示すように、ガイダンス画像１３２は、ボタン操作モードにおいて画像の表示操作状態を切り替えるための入力部１１のボタン操作を説明する。具体的には、ガイダンス画像１３２は、上述したユーザ設定によってマウスが選択されている場合、図５に例示するマウス１６のボタン操作を説明する。
【００４４】
すなわち図４，５に示すように、ガイダンス画像１３２は、一時停止状態においてマウス１６の右ボタン１６ａを１回押すボタン操作（右クリック操作）を行えば、この一時停止状態から再生状態にモード移行することを示し、右ボタン１６ａを２回続けて押すボタン操作（右ダブルクリック操作）を行えば、この一時停止状態から早再生状態にモード移行することを示している。また、ガイダンス画像１３２は、現在の一時停止状態においてマウス１６の左ボタン１６ｂを１回押すボタン操作（左クリック操作）を行えば、この一時停止状態から逆再生状態にモード移行することを示し、左ボタン１６ｂを２回続けて押すボタン操作（左ダブルクリック操作）を行えば、この一時停止状態から逆早再生状態にモード移行することを示している。さらに、ガイダンス画像１３２は、現在の一時停止状態において右ボタン１６ａと左ボタン１６ｂとをともに押すボタン操作（同時押し操作）を行えば、主画像表示領域１００に表示中の観察画像に対応するサムネイル画像が副画像表示領域１１０に追加表示されることを示している。なお、ガイダンス画像１３２には、かかるサムネイル画像を追加表示する処理が行われることを示す文字または記号として、たとえば「Ｃａｐｔｕｒｅ」が表示される。
【００４５】
つぎに、制御部１５がカーソルＫの位置に応じて画像の表示操作モードを切り替える動作について詳細に説明する。図６は、カーソルＫの位置に応じて画像の表示操作モードを切り替える処理手順を説明するフローチャートである。図６において、制御部１５は、まず、表示部１２の表示画面上に形成したカーソルＫの位置を検出し、このカーソルＫが特定領域１３０の枠内および枠外のいずれに位置するかを判断する（ステップＳ１０１）。
【００４６】
制御部１５は、ステップＳ１０１においてカーソルＫの位置が特定領域１３０の枠内であると判断した場合（ステップＳ１０１，領域内）、たとえば被検体１内の観察画像を表示部１２に表示するための表示操作モードとして上述したボタン操作モードを設定する（ステップＳ１０２）。この場合、モード切替制御部１５ａは、このステップＳ１０２以前に表示操作モードが上述したカーソル操作モードに設定されていれば、カーソルＫが特定領域１３０の枠内に移動したことをトリガーとして、このカーソル操作モードをボタン操作モードに切り替える。
【００４７】
つぎに、制御部１５は、カーソルＫが特定領域１３０の枠内に位置しているか否かを判断し（ステップＳ１０３）、カーソルＫの位置が特定領域１３０の枠内であると判断した場合（ステップＳ１０３，Ｙｅｓ）、表示操作モードをボタン操作モードに維持するとともに、このステップＳ１０３を繰り返す。
【００４８】
一方、制御部１５は、このステップＳ１０３においてカーソルＫの位置が特定領域１３０の枠外であると判断した場合（ステップＳ１０３，Ｎｏ）、ステップＳ１０２において設定したボタン操作モードを解除し（ステップＳ１０４）、その後、表示操作モードとして上述したカーソル操作モードを設定する（ステップＳ１０５）。この場合、モード切替制御部１５ａは、カーソルＫが特定領域１３０の枠外に移動したことをトリガーとして、表示操作モードをボタン操作モードからカーソル操作モードに切り替える。
【００４９】
つぎに、制御部１５は、カーソルＫが特定領域１３０の枠外に位置しているか否かを判断し（ステップＳ１０６）、カーソルＫの位置が特定領域１３０の枠外であると判断した場合（ステップＳ１０６，Ｙｅｓ）、表示操作モードをカーソル操作モードに維持するとともに、このステップＳ１０６を繰り返す。
【００５０】
その後、制御部１５は、このステップＳ１０６においてカーソルＫの位置が特定領域１３０の枠内であると判断した場合（ステップＳ１０６，Ｎｏ）、ステップＳ１０５において設定したカーソル操作モードを解除し（ステップＳ１０７）、上述したステップＳ１０２以降の処理手順を繰り返す。この場合、モード切替制御部１５ａは、カーソルＫが特定領域１３０の枠内に移動したことをトリガーとして、表示操作モードをカーソル操作モードからボタン操作モードに切り替える。
【００５１】
一方、制御部１５は、上述したステップＳ１０１においてカーソルＫの位置が特定領域１３０の枠外であると判断した場合（ステップＳ１０１，領域外）、上述したステップＳ１０５以降の処理手順を繰り返す。この場合、モード切替制御部１５ａは、ステップＳ１０５以前に表示操作モードがボタン操作モードに設定されていれば、カーソルＫが特定領域１３０の枠外に移動したことをトリガーとして、このボタン操作モードをカーソル操作モードに切り替える。
【００５２】
このように、制御部１５は、カーソルＫの位置が特定領域１３０の枠内である場合、表示操作モードをボタン操作モードに切り替えて維持し、カーソルＫの位置が特定領域１３０の枠外である場合、表示操作モードをカーソル操作モードに切り替えて維持する。したがって、検査者は、入力部１１を操作してカーソルＫを特定領域１３０の枠外たとえば表示操作アイコン１２１〜１２７に移動すれば、表示操作アイコン１２１〜１２７のいずれかを指定して観察画像の表示操作を行うことができる。また、検査者は、入力部１１を操作してカーソルＫを特定領域１３０の枠内に移動すれば、カーソルＫを表示操作アイコン１２１〜１２７に移動しなくとも、入力部１１のボタン操作たとえばマウス１６のボタン操作を行って観察画像の表示操作を行うことができる。
【００５３】
ここで、特定領域１３０は、図３に示すように、カーソルＫに比して充分大きく形成しているので、特定領域１３０に対するカーソルＫの出し入れが容易であるとともに、枠内におけるカーソルＫの移動許容範囲が広い。したがって、検査者は、入力部１１たとえばマウス１６を操作してカーソルＫを特定領域１３０の枠内に容易に移動でき、かつマウス１６を多少ずらしてもカーソルＫを特定領域１３０の枠内に維持することができる。制御部１５は、カーソルＫが特定領域１３０の枠内に位置すれば、この枠内でのカーソルＫの移動によらず上述したボタン操作モードを維持する。これによって、上述した観察画像の表示操作を行う際にカーソルＫを表示操作アイコンの位置に移動する煩わしさを解消できるとともに、ボタン操作モードでの観察画像の表示操作を容易に行うことができる。
【００５４】
つぎに、上述したボタン操作モードにおいて制御部１５が表示操作状態を設定し、かかる表示操作状態で観察画像を表示部１２に表示する動作について詳細に説明する。図７は、ボタン操作モードにおいて表示操作状態を切り替えて観察画像を表示する処理手順を説明するフローチャートである。図７において、制御部１５は、表示操作モードとして上述したボタン操作モードを設定した場合、まず、表示操作アイコン１２１〜１２７のいずれかが指定済みの状態であるか否かを判断する（ステップＳ２０１）。
【００５５】
制御部１５は、たとえば入力部１１の操作によって表示操作アイコン１２１〜１２７のいずれかも指定されていなければ、このステップＳ２０１において表示操作アイコンは指定済みの状態ではないと判断し（ステップＳ２０１，Ｎｏ）、観察画像の表示操作状態を初期設定する（ステップＳ２０２）。この場合、モード切替制御部１５ａは、かかる表示操作状態の初期設定として、たとえば上述した一時停止状態を設定する。表示制御部１５ｂは、かかるモード切替制御部１５ａの初期設定に対応して、主画像表示領域１００に観察画像を一時停止状態で表示する制御を表示部１２に対して行う。
【００５６】
つぎに、制御部１５は、かかる初期設定の表示操作状態たとえば一時停止状態でのガイダンス画像と状態画像とを表示部１２に表示させる（ステップＳ２０４）。この場合、表示制御部１５ｂは、たとえば図３に示すように、一時停止状態を示す状態画像１３１と一時停止状態でのガイダンス画像１３２とを特定領域１３０に表示する制御を行う。
【００５７】
その後、制御部１５は、ステップＳ２０４において表示した状態画像と同じ表示操作状態を指定する表示操作アイコンを表示部１２に強調表示させる（ステップＳ２０５）。この場合、表示制御部１５ｂは、かかる状態画像が示す表示操作状態を指定する表示操作アイコンを強調表示する制御を表示部１２に対して行う。たとえば、表示制御部１５ｂは、ステップＳ２０４において状態画像１３１を特定領域１３０に表示する制御を行った場合、図３に示すように、この状態画像１３１と同じ表示操作状態（すなわち一時停止状態）を指定する表示操作アイコン１２１を強調表示する制御を行う。
【００５８】
一方、制御部１５は、上述したステップＳ２０１において、たとえばカーソルＫを移動してクリック操作する等によって表示操作アイコン１２１〜１２７のいずれかが指定されていれば、表示操作アイコンは指定済みの状態であると判断し（ステップＳ２０１，Ｙｅｓ）、この指定済みの表示操作アイコンに対応する表示操作状態を維持する（ステップＳ２０３）。この場合、モード切替制御部１５ａは、表示操作アイコン１２１〜１２７のうちの指定済みの表示操作アイコンに対応する表示操作状態を設定する。表示制御部１５ｂは、ステップＳ２０３において維持した表示操作状態で観察画像を主画像表示領域１００に表示する制御を表示部１２に対して行う。
【００５９】
たとえば、モード切替制御部１５ａは、表示操作アイコン１２１が指定済みの状態であれば、この表示操作アイコン１２１に対応する一時停止状態を設定する。この場合、表示制御部１５ｂは、この設定した一時停止状態で観察画像を主画像表示領域１００に表示する制御を行う。また、モード切替制御部１５ａは、表示操作アイコン１２３が指定済みの状態であれば、この表示操作アイコン１２３に対応する再生状態を設定する。この場合、表示制御部１５ｂは、この再生状態で観察画像を主画像表示領域１００に表示する制御を行う。なお、モード切替制御部１５ａおよび表示制御部１５ｂは、表示操作アイコン１２１〜１２７のいずれが指定済みの状態であっても、かかる処理をほぼ同様に実行する。
【００６０】
一方、制御部１５は、上述したステップＳ２０５までの処理手順を実行した場合、入力部１１のボタン操作たとえばマウス１６のボタン操作を検知する（ステップＳ２０６）。具体的には、制御部１５は、ステップＳ２０６において、カーソルＫの位置を特定領域１３０の枠内に維持した状態でマウス１６のボタン操作が行われた場合、かかるマウス１６のボタン操作を検知し（ステップＳ２０６，Ｙｅｓ）、検知したボタン操作に対応して表示操作状態をモード移行する（ステップＳ２０７）。この場合、モード切替制御部１５ａは、このステップＳ２０６を実行するまでに維持していた表示操作状態（たとえば初期設定の表示操作状態）をかかるボタン操作に対応する次の表示操作状態に切り替える。これによって、モード切替制御部１５ａは、この表示操作状態を次の表示操作状態にモード移行する。
【００６１】
つぎに、制御部１５は、ステップＳ２０７においてモード移行した次の表示操作状態で観察画像を表示部１２に表示させる（ステップＳ２０８）。この場合、表示制御部１５ｂは、表示部１２に対し、かかる次の表示操作状態で主画像表示領域１００に観察画像を表示する制御を行う。これによって、表示部１２は、モード移行前の表示操作状態（たとえば一時停止状態）の観察画像をかかる次の表示操作状態（たとえば再生状態）に切り替えて表示する。具体的には、表示部１２は、かかるモード移行によって、たとえば一時停止していた観察画像を順次再生するようになる。
【００６２】
その後、制御部１５は、表示部１２に表示させているガイダンス画像および状態画像をかかる次の表示操作状態でのガイダンス画像および状態画像にそれぞれ更新する（ステップＳ２０９）。この場合、表示制御部１５ｂは、ステップＳ２０６において維持していたモード移行前の表示操作状態を示す状態画像をステップＳ２０７のモード移行による次の表示操作状態を示す状態画像に更新して表示する制御を行う。これと同時に、表示制御部１５ｂは、このモード移行前の表示操作状態でのガイダンス画像を次の表示操作状態でのガイダンス画像に更新して表示する制御を行う。
【００６３】
つぎに、制御部１５は、ステップＳ２０９において更新した状態画像と同じ表示操作状態を指定する表示操作アイコンを強調表示するように、表示操作アイコンの強調表示を更新する（ステップＳ２１０）。この場合、表示制御部１５ｂは、モード移行前の表示操作状態に対応する表示操作アイコンの強調表示に代えて、ステップＳ２０９において更新した状態画像が示す表示操作状態（すなわちステップＳ２０７によるモード移行後の表示操作状態）を指定する表示操作アイコンを強調表示する制御を表示部１２に対して行う。その後、制御部１５は、上述したステップＳ２０６以降の処理手順を繰り返す。
【００６４】
一方、制御部１５は、上述したステップＳ２０６においてマウス１６のボタン操作を検知していない場合（ステップＳ２０６，Ｎｏ）、このボタン操作モードを解除したか否かを判断する（ステップＳ２１１）。ここで、制御部１５は、上述したように、カーソルＫの位置が特定領域１３０の枠外であると判断した場合、このボタン操作モードを解除し、カーソルＫの位置が特定領域１３０の枠内であると判断した場合、このボタン操作モードを維持する。制御部１５は、このステップＳ２１１において、このボタン操作モードを解除していない（すなわちこのボタン操作モードを維持している）と判断した場合（ステップＳ２１１，Ｎｏ）、このステップＳ２０６以降の処理手順を繰り返す。
【００６５】
また、制御部１５は、このステップＳ２１１において、このボタン操作モードを解除したと判断した場合（ステップＳ２１１，Ｙｅｓ）、特定領域１３０に表示していた状態画像およびガイダンス画像を消去し（ステップＳ２１２）、このボタン操作モードでの観察画像を表示する動作を完了する。この場合、表示制御部１５ｂは、表示部１２に対し、特定領域１３０に表示中の状態画像およびガイダンス画像を消去する制御を行う。
【００６６】
つぎに、上述したボタン操作モードにおいて観察画像の表示操作状態をモード移行する動作について詳細に説明する。図８は、マウス１６のボタン操作に対応して観察画像の表示操作状態をモード移行する動作を説明する状態遷移図である。制御部１５は、上述したステップＳ２０１以降の処理手順を繰り返し行って、観察画像の表示操作状態をマウス１６のボタン操作毎にモード移行し、これによって設定した表示操作状態で観察画像を表示部１２に表示させる。この場合、モード切替制御部１５ａは、マウス１６のボタン操作毎にモード移行前の表示操作状態を次の表示操作状態にモード移行する。
【００６７】
すなわち図８において、モード移行前の表示操作状態がたとえば一時停止状態である場合、モード切替制御部１５ｂは、マウス１６の右クリック操作を検知すれば、この一時停止状態を次の表示操作状態すなわち再生状態にモード移行する。また、モード切替制御部１５ｂは、一時停止状態においてマウス１６の右ダブルクリック操作を検知すれば、この一時停止状態を早再生状態にモード移行する。一方、モード切替制御部１５ｂは、一時停止状態においてマウス１６の左クリック操作を検知すれば、この一時停止状態を逆再生状態にモード移行し、一時停止状態においてマウス１６の左ダブルクリック操作を検知すれば、この一時停止状態を逆早再生状態にモード移行する。
【００６８】
これと同様に、モード切替制御部１５ｂは、再生状態においてマウス１６の右クリック操作または右ダブルクリック操作を検知すれば、この再生状態を早再生状態または一時停止状態にそれぞれモード移行し、再生状態においてマウス１６の左クリック操作または左ダブルクリック操作を検知すれば、この再生状態を一時停止状態または逆再生状態にそれぞれモード移行する。また、モード切替制御部１５ｂは、早再生状態においてマウス１６の右クリック操作または右ダブルクリック操作を検知すれば、この早再生状態を一時停止状態または再生状態にそれぞれモード移行し、早再生状態においてマウス１６の左クリック操作または左ダブルクリック操作を検知すれば、この早再生状態を再生状態または一時停止状態にそれぞれモード移行する。
【００６９】
さらに、モード切替制御部１５ｂは、逆再生状態においてマウス１６の右クリック操作または右ダブルクリック操作を検知すれば、この逆再生状態を一時停止状態または再生状態にそれぞれモード移行し、逆再生状態においてマウス１６の左クリック操作または左ダブルクリック操作を検知すれば、この逆再生状態を逆早再生状態または一時停止状態にそれぞれモード移行する。また、モード切替制御部１５ｂは、逆早再生状態においてマウス１６の右クリック操作または右ダブルクリック操作を検知すれば、この逆早再生状態を逆再生状態または一時停止状態にそれぞれモード移行し、逆早再生状態においてマウス１６の左クリック操作または左ダブルクリック操作を検知すれば、この逆早再生状態を一時停止状態または逆再生状態にそれぞれモード移行する。
【００７０】
なお、制御部１５は、上述した表示操作状態のいずれの場合であっても、マウス１６の同時押し操作を検知すれば、主画像表示領域１００に表示中の観察画像に対応するサムネイル画像を表示部１２に追加表示させる。この場合、表示制御部１５ｂは、表示部１２に対し、かかるサムネイル画像を副画像表示領域１１０に追加表示する制御を行う。
【００７１】
また、検査者は、観察画像をコマ再生または逆コマ再生する場合、入力部１１を操作して表示操作状態を一時停止状態にし、入力部１１を操作して表示操作アイコン１２２または表示操作アイコン１２５を選択すればよい。この場合、表示制御部１５ｂは、表示操作アイコン１２２を選択する入力部１１のボタン操作を検知すれば、その都度、表示部１２に対し、コマ再生状態で観察画像を表示する制御を順次行う。また、表示制御部１５ｂは、表示操作アイコン１２５を選択する入力部１１のボタン操作を検知すれば、その都度、表示部１２に対し、逆コマ再生状態で観察画像を表示する制御を順次行う。
【００７２】
ここで、上述した表示操作状態のモード移行処理を実行するために、制御部１５は、表示操作状態毎に、入力部１１たとえばマウス１６の各ボタン操作に対して次の各表示操作状態をそれぞれ割り当てる。この場合、制御部１５は、表示操作状態をモード移行して設定する次の表示操作状態として優先度の高いもの（たとえば他の表示操作状態に比して設定頻度の高いもの）を優先的に割り当てる。具体的には、制御部１５は、たとえば一時停止状態において、一時停止状態の次に設定する表示操作状態として他よりも設定頻度の高い再生状態および逆再生状態をマウス１６の右クリック操作および左クリック操作にそれぞれ優先的に割り当て、次に設定頻度の高い早再生状態および逆早再生状態をマウス１６の右ダブルクリック操作および左ダブルクリック操作にそれぞれ割り当てる。この場合、マウスの１５の右クリック操作および左クリック操作は、右ダブルクリック操作および左ダブルクリック操作に比して容易なボタン操作であるので、このようにマウス１６のボタン操作に表示操作状態を割り当てることによって、たとえば一時停止状態から優先度の高い再生状態または逆再生状態にモード移行するボタン操作が容易になる。
【００７３】
これとほぼ同様に、制御部１５は、再生状態において、早再生状態および一時停止状態をマウス１６の右クリック操作および左クリック操作にそれぞれ優先的に割り当て、かつ一時停止状態および逆再生状態をマウス１６の右ダブルクリック操作および左ダブルクリック操作にそれぞれ割り当てる。また、制御部１５は、早再生状態において、一時停止状態および再生状態をマウス１６の右クリック操作および左クリック操作にそれぞれ優先的に割り当て、かつ再生状態および一時停止状態をマウス１６の右ダブルクリック操作および左ダブルクリック操作にそれぞれ割り当てる。
【００７４】
さらに、制御部１５は、逆再生状態において、一時停止状態および逆早再生状態をマウス１６の右クリック操作および左クリック操作にそれぞれ優先的に割り当て、かつ再生状態および一時停止状態をマウス１６の右ダブルクリック操作および左ダブルクリック操作にそれぞれ割り当てる。また、制御部１５は、逆早再生状態において、逆再生状態および一時停止状態をマウス１６の右クリック操作および左クリック操作にそれぞれ優先的に割り当て、かつ一時停止状態および逆再生状態をマウス１６の右ダブルクリック操作および左ダブルクリック操作にそれぞれ割り当てる。
【００７５】
かかる制御部１５は、たとえばマウス１６のボタン操作毎に表示操作状態をモード移行した場合、その都度、上述した各ボタン操作に対する次の表示操作状態の割り当て結果と整合するように、マウス１６の各ボタン操作にそれぞれ割り当てる次の各表示操作状態を更新する。具体的には、制御部１５は、たとえば一時停止状態から再生状態にモード移行した場合、一時停止状態においてマウス１６の右クリック操作に割り当てた再生状態を早再生状態に更新し、左クリック操作に割り当てた逆再生状態を一時停止状態に更新し、右ダブルクリック操作に割り当てた早再生状態を一時停止状態に更新し、左ダブルクリック操作に割り当てた逆早再生状態を逆再生状態に更新する。
【００７６】
つぎに、表示操作状態のモード移行毎にガイダンス画像を更新する動作について詳細に説明する。図９は、ガイダンス画像を更新する動作の一例を説明する模式図である。制御部１５は、上述したように表示操作状態をモード移行した場合、その都度、表示部１２に表示中のガイダンス画像を更新する。この場合、表示制御部１５ｂは、モード移行後の表示操作状態において、その次の表示操作状態にさらにモード移行するための入力部１１のボタン操作を説明するガイダンス画像に更新する制御を行う。
【００７７】
たとえば図９に示すように、制御部１５が表示操作状態を一時停止状態から再生状態にモード移行した場合、表示制御部１５ｂは、上述した一時停止状態でのガイダンス画像１３２を再生状態でのガイダンス画像１３２ａに更新する制御を行う。このガイダンス画像１３２ａは、再生状態において次の表示操作状態にモード移行するためのマウス１６の各ボタン操作を説明するものであって、たとえば右クリック操作によって早再生状態にモード移行することを示し、左クリック操作または右ダブルクリック操作によって一時停止状態にモード移行することを示し、左ダブルクリック操作によって逆再生状態にモード移行することを示している。また、ガイダンス画像１３２ａは、マウス１６の同時押し操作によって観察画像に対応するサムネイル画像が副画像表示領域１１０に追加表示されることを示している。
【００７８】
ここで、ガイダンス画像１３２は、一時停止状態において制御部１５がマウス１６の各ボタン操作にそれぞれ割り当てた各表示操作状態にモード移行するためのボタン操作を説明する。また、ガイダンス画像１３２ａは、再生状態において制御部１５がマウス１６の各ボタン操作にそれぞれ割り当てた各表示操作状態にモード移行するためのボタン操作を説明する。すなわち、表示制御部１５ｂは、上述した各ボタン操作に対する次の表示操作状態の割り当て結果と整合するように、かかるガイダンス画像を更新する制御を行う。具体的には、表示制御部１５ｂは、一時停止状態にモード移行した場合、上述した一時停止状態での各表示操作状態の割り当て結果と整合する態様のガイダンス画像１３２に更新する制御を行い、再生状態にモード移行した場合、上述した再生状態での各表示操作状態の割り当て結果と整合する態様のガイダンス画像１３２ａに更新する制御を行い、早再生状態にモード移行した場合、上述した早再生状態での各表示操作状態の割り当て結果と整合する態様のガイダンス画像に更新する制御を行う。また、表示制御部１５ｂは、逆再生状態にモード移行した場合、上述した逆再生状態での各表示操作状態の割り当て結果と整合する態様のガイダンス画像に更新する制御を行い、逆早再生状態にモード移行した場合、上述した逆早再生状態での各表示操作状態の割り当て結果と整合する態様のガイダンス画像に更新する制御を行う。
【００７９】
また、ガイダンス画像１３２は、一時停止状態の次の表示操作状態として設定頻度の高い再生状態、逆再生状態、早再生状態、および逆早再生状態にモード移行するための各ボタン操作を説明する。ガイダンス画像１３２ａは、再生状態の次の表示操作状態として設定頻度の高い早再生状態、一時停止状態、および逆再生状態にモード移行するための各ボタン操作を説明する。すなわち、かかる表示操作状態毎のガイダンス画像は、ガイダンス画像１３２，１３２ａに例示されるように、その表示操作状態の次の表示操作状態として優先度の高いもの（たとえば設定頻度の高いもの）にモード移行するためのボタン操作を優先的に説明する。
【００８０】
つぎに、観察画像の表示操作を行うための入力部１１を選択するユーザ設定について説明する。図１０は、かかる入力部１１を選択するユーザ設定を行う場合の表示画面の一具体例を模式的に示す模式図である。検査者が入力部１１を操作し、たとえばカーソルＫを設定アイコン１４０に合わせてクリック操作を行い、この設定アイコン１４０を指定した場合、図１０に示すように、選択ウィンドウ１４１が開く。選択ウィンドウ１４１は、観察画像の表示操作を行う入力部１１の選択対象であるデバイスたとえばマウス、キーボード、およびテンキー（１０キー）を表示する。検査者は、たとえば図１０に示すようにカーソルＫを移動し、かかる選択ウィンドウ１４１に表示された選択対象のデバイスの中から所望のデバイスを指定すれば、観察画像の表示操作を行う入力部１１のデバイスを選択できる。この場合、制御部１５は、かかる選択されたデバイスに対して上述した各表示操作状態を割り当てる。
【００８１】
たとえば、制御部１５は、かかる選択ウィンドウ１４１の中からマウスが選択された場合、上述したように、マウス１６の各ボタン操作に対して各表示操作状態を割り当てる。この場合、表示制御部１５ｂは、上述したように、表示操作状態をモード移行するためのマウス１６の各ボタン操作を説明するガイダンス画像（たとえばガイダンス画像１３１）を表示部１２に表示させるようになる。
【００８２】
一方、制御部１５は、選択ウィンドウ１４１の中からテンキーが選択された場合、入力部１１を構成するテンキーの各入力ボタンに対して各表示操作状態をそれぞれ割り当てる。この場合、制御部１５は、入力部１１のテンキーに設けられた入力ボタン群のうちの互いに隣り合う各入力ボタンに所望の表示操作状態とその次の表示操作状態とをそれぞれ割り当てる。これによって、モード切替制御部１５ａは、ボタン操作されたテンキーの入力ボタンに対応する表示操作状態にモード移行する制御を行うようになる。なお、かかる次の表示操作状態は、上述したように、隣りの入力ボタンに割り当てられた表示操作状態からモード移行する表示操作状態として他よりも優先度の高いもの（たとえば設定頻度の高いもの）であることが望ましい。
【００８３】
また、表示制御部１５ｂは、上述したマウス１６に対応するガイダンス画像に代えて、表示操作状態をモード移行するためのテンキーの各ボタン操作を説明するガイダンス画像を表示部１２に表示させるようになる。図１１は、表示操作状態をモード移行するためのテンキーのボタン操作を説明するガイダンス画像の一例を模式的に示す模式図である。かかる表示制御部１５ｂは、たとえばガイダンス画像１３１に代えて図１１に示すガイダンス画像１３３を表示する制御を行う。
【００８４】
かかるガイダンス画像１３３は、図１１に示すように、各表示操作状態にモード移行するためのテンキーの各ボタン操作を説明する。この場合、ガイダンス画像１３３に示される各入力ボタンと各表示操作状態との対応関係は、上述した制御部１５による各入力ボタンへの各表示操作状態の割り当て結果と整合する。たとえば、ガイダンス画像１３３は、一時停止状態にモード移行するための入力ボタンとその次の表示操作状態として優先度の高いもの（たとえば再生状態「＞」、早再生状態「>>」、逆再生状態「＜」、逆早再生状態「<<」、コマ再生状態「>||」、および逆コマ再生状態「||<」）にモード移行するための入力ボタンとが互いに隣り合う態様で表示される。また、ガイダンス画像１３３は、テンキーの残りの入力ボタン（図１１に示す「２」キーおよび「０」キー）を１回押すボタン操作によって観察画像に対応するサムネイル画像が副画像表示領域１１０に追加表示されることを示している。
【００８５】
なお、選択ウィンドウ１４１の中からテンキーが選択された場合、入力部１１を構成するキーボードに設けられたテンキー部の各ボタンに対し、上述したテンキーと同様に各入力ボタンに各表示操作状態をそれぞれ割り当てるようにしてもよい。この場合、ガイダンス画像１３３は、このキーボードのテンキー部の各ボタン操作を説明する。
【００８６】
一方、制御部１５は、選択ウィンドウ１４１の中からキーボードが選択された場合、入力部１１を構成するキーボードの各入力ボタンに対して各表示操作状態をそれぞれ割り当てる。この場合、制御部１５は、入力部１１のキーボードに設けられた入力ボタン群のうちの互いに隣り合う各入力ボタンに所望の表示操作状態とその次の表示操作状態とをそれぞれ割り当てる。これによって、モード切替制御部１５ａは、ボタン操作されたテンキーの入力ボタンに対応する表示操作状態にモード移行する制御を行うようになる。なお、かかる次の表示操作状態は、上述したように、隣りの入力ボタンに割り当てられた表示操作状態からモード移行する表示操作状態として他よりも優先度の高いもの（たとえば設定頻度の高いもの）であることが望ましい。
【００８７】
また、表示制御部１５ｂは、上述したマウス１６に対応するガイダンス画像に代えて、表示操作状態をモード移行するためのキーボードの各ボタン操作を説明するガイダンス画像を表示部１２に表示させるようになる。図１２は、表示操作状態をモード移行するためのキーボードのボタン操作を説明するガイダンス画像の一例を模式的に示す模式図である。かかる表示制御部１５ｂは、たとえばガイダンス画像１３１に代えて図１２に示すガイダンス画像１３４を表示する制御を行う。
【００８８】
かかるガイダンス画像１３４は、図１２に示すように、各表示操作状態にモード移行するためのキーボードの各ボタン操作を説明する。この場合、ガイダンス画像１３４に示される各入力ボタンと各表示操作状態との対応関係は、上述した制御部１５による各入力ボタンへの各表示操作状態の割り当て結果と整合する。たとえば、ガイダンス画像１３４は、コマ再生状態にモード移行するための入力ボタン（上矢印キー）および逆コマ再生状態にモード移行するための入力ボタン（下矢印キー）に対し、その次の表示操作状態として優先度の高いもの（たとえば再生状態「＞」、早再生状態「>>」、逆再生状態「＜」、および逆早再生状態「<<」）にモード移行するための入力ボタン（具体的には右矢印キーおよび左矢印キー）が隣り合う態様で表示される。また、ガイダンス画像１３４は、右矢印キーを１回押すボタン操作または左矢印キーを１回押すボタン操作によって再生状態または逆再生状態にそれぞれモード移行し、右矢印キーを２回続けて押すボタン操作または左矢印キーを２回続けて押すボタン操作によって早再生状態または逆早再生状態にそれぞれモード移行することを示している。さらに、ガイダンス画像１３４は、スペースキーを１回押すボタン操作によって観察画像に対応するサムネイル画像が副画像表示領域１１０に追加表示されることを示している。
【００８９】
なお、この発明の実施の形態では、入力部１１のマウスのボタン操作毎に表示操作状態をモード移行する場合、モード移行前の表示操作状態の次の表示操作状態として優先度の高いものにモード移行するようにしていたが、この発明はこれに限定されるものではなく、入力部１１のマウスのボタン操作毎にモード移行前の表示操作状態から所望の表示操作状態にモード移行するように構成してもよい。この一例として、かかるマウスのボタン操作毎に、たとえば表示操作アイコン１２１〜１２７の配列に沿ってモード移行するように構成してもよい。この場合、たとえば図８に示した状態遷移図において一時停止状態と再生状態との間にコマ再生状態を追加し、一時停止状態と逆再生状態との間に逆コマ再生状態を追加した態様でモード移行するように、マウスの各ボタン操作に各表示操作状態をそれぞれ割り当てればよい。
【００９０】
また、この発明の実施の形態では、マウス１６のボタン操作毎に表示操作状態をモード移行する場合、一時停止状態において表示操作アイコン１２１，１２５にカーソルＫを移動してコマ再生状態または逆コマ再生状態にモード移行していたが、この発明はこれに限定されるものではなく、マウス１６のボタン操作にコマ再生状態および逆コマ再生状態を割り当て、かかるマウス１６のボタン操作によってコマ再生状態または逆コマ再生状態にモード移行するように構成してもよい。この場合、所望の表示操作状態または全表示操作状態において、たとえばマウス１６の右ダブルクリック操作によってコマ再生状態にモード移行し、左ダブルクリック操作によって逆コマ再生状態にモード移行するように構成してもよいし、マウス１６の左ボタン１６ｂを押下げた状態で右ボタン１６ａを押すボタン操作によってコマ再生状態にモード移行し、右ボタン１６ａを押下げた状態で左ボタン１６ｂを押すボタン操作によって逆コマ再生状態にモード移行するように構成してもよい。
【００９１】
さらに、この発明の実施の形態では、上述した状態画像およびガイダンス画像を特定領域１３０の枠内に表示していたが、この発明はこれに限定されるものではなく、かかる状態画像およびガイダンス画像は特定領域１３０の枠外に表示してもよい。
【００９２】
また、この発明の実施の形態では、状態画像を表示するとともに、この状態画像によって示される表示操作状態に対応する表示操作アイコンを強調表示していたが、この発明はこれに限定されるものではなく、かかる状態画像の表示および表示操作アイコンの強調表示の少なくとも一方を行うようにしてもよい。
【００９３】
さらに、この発明の実施の形態では、表示操作アイコンの記号を示す状態画像を表示していたが、この発明はこれに限定されるものではなく、表示操作状態を示す文字または所望の記号を示す状態画像を表示してもよいし、表示操作アイコンの記号と表示操作状態を示す文字とを組み合わせた状態画像を表示してもよい。
【００９４】
また、この発明の実施の形態では、入力部１１を構成するポインティングデバイスとしてマウス１６を用いたが、この発明はこれに限定されるものではなく、マウス、トラックボール、およびタッチパッド等の各種態様のポインティングデバイスを用いてもよい。この場合、マウス１６に代えて、スクロールダイヤルをさらに備えたマウス１７を用いてもよい。図１３は、スクロールダイヤルを備えたマウスに対応するガイダンス画像の一例を模式的に示す模式図である。図１４は、スクロールダイヤルをさらに備えたマウスを模式的に例示する模式図である。なお、図１３には、一時停止状態において表示されるガイダンス画像を例示する。
【００９５】
図１３，１４に示すように、このマウス１７は、上述したマウス１６にスクロールダイヤル１７ａをさらに設けた構造を有し、このガイダンス画像１３２ｂは、マウス１７を用いた表示操作状態のモード移行操作を説明する。この場合、ガイダンス画像１３２ｂは、上述したガイダンス画像１３２と同様のボタン操作すなわち一時停止状態から再生状態、逆再生状態、早再生状態、または逆早再生状態にモード移行する各ボタン操作を説明し、さらにコマ再生状態または逆コマ再生状態にモード移行する各スクロールダイヤル操作を説明する。具体的には、ガイダンス画像１３２ｂは、図１４の上方向にスクロールダイヤル１７ａを回転すればコマ再生状態にモード移行することを示し、図１４の下方向にスクロールダイヤル１７ａを回転すれば逆コマ再生状態にモード移行することを示す。かかるマウス１７を上述したマウス１６に代えて用いる場合、制御部１５は、マウス１７の各スクロールダイヤル操作にコマ再生状態および逆コマ再生状態をそれぞれ割り当て、表示制御部１５ｂは、たとえば一時停止状態においてガイダンス画像１３２ｂを上述したガイダンス画像１３２に変えて表示する制御を行えばよい。
【００９６】
以上、説明したように、この発明の実施の形態では、所定の大きさに形成した特定領域を表示し、表示画面上のカーソルがこの特定領域内にある場合、マウスまたはキーボード等の入力部のボタン操作によって画像の表示操作を行うボタン操作モードに設定し、表示画面上のカーソルがこの特定領域外にある場合、かかる表示画面上の位置（たとえば表示操作アイコン）とカーソルの位置とに対応した画像の表示操作を行うカーソル操作モードに設定するように構成した。したがって、カーソルが特定領域内に位置する状態であれば、かかるカーソルの位置によらず入力部のボタン操作によって画像の表示操作を行うことができ、表示画面上の被検体内の一連の画像を観察するとともに画像の表示操作を簡易に行える画像表示装置を実現することができる。
【００９７】
この発明にかかる画像表示装置を用いることによって、医師または看護師等の検査者は、表示画面上に表示した被検体内の一連の画像を観察しつつ、かかる画像の表示操作を簡易に行うことができ、観察対象の画像の見落としを抑制できるとともに、一時停止状態または再生状態等の画像の表示操作状態を簡易に切り替えることができる。
【図面の簡単な説明】
【００９８】
【図１】この発明の実施の形態である画像表示装置を備えたカプセル型内視鏡システムの一構成例を模式的に例示する模式図である。
【図２】この発明の実施の形態である画像表示装置の一構成例を模式的に示すブロック図である。
【図３】表示画面の一具体例を模式的に示す模式図である。
【図４】ガイダンス画像の一具体例を模式的に示す模式図である。
【図５】入力部を構成するマウスを模式的に例示する模式図である。
【図６】カーソルの位置に応じて画像の表示操作モードを切り替える処理手順を説明するフローチャートである。
【図７】ボタン操作モードにおいて表示操作状態を切り替えて観察画像を表示する処理手順を説明するフローチャートである。
【図８】マウスのボタン操作に対応して観察画像の表示操作状態をモード移行する動作を説明する状態遷移図である。
【図９】ガイダンス画像を更新する動作の一例を説明する模式図である。
【図１０】入力部を選択するユーザ設定を行う場合の表示画面の一具体例を模式的に示す模式図である。
【図１１】テンキーのボタン操作を説明するガイダンス画像の一例を模式的に示す模式図である。
【図１２】キーボードのボタン操作を説明するガイダンス画像の一例を模式的に示す模式図である。
【図１３】スクロールダイヤルを備えたマウスに対応するガイダンス画像の一例を模式的に示す模式図である。
【図１４】スクロールダイヤルをさらに備えたマウスを模式的に例示する模式図である。
【符号の説明】
【００９９】
１  被検体
２  カプセル型内視鏡
３  受信装置
３ａ〜３ｈ  受信アンテナ
４  画像表示装置
５  携帯型記録媒体
１１  入力部
１２  表示部
１３  リーダライタ
１４  記憶部
１５  制御部
１５ａ  モード切替制御部
１５ｂ  表示制御部
１６，１７  マウス
１６ａ  右ボタン
１６ｂ  左ボタン
１７ａ  スクロールダイヤル
１００  主画像表示領域
１０１  観察画像
１１０  副画像表示領域
１２１〜１２７  表示操作アイコン
１３０  特定領域
１３１  状態画像
１３２，１３２ａ，１３２ｂ，１３３，１３４  ガイダンス画像
１４０  設定アイコン
１４１  選択ウィンドウ
Ｋ  カーソル
【図１】
2006288611.tif 000003
【図２】
2006288611.tif 000004
【図３】
2006288611.tif 000005
【図４】
2006288611.tif 000006
【図５】
2006288611.tif 000007
【図６】
2006288611.tif 000008
【図７】
2006288611.tif 000009
【図８】
2006288611.tif 000010
【図９】
2006288611.tif 000011
【図１０】
2006288611.tif 000012
【図１１】
2006288611.tif 000013
【図１２】
2006288611.tif 000014
【図１３】
2006288611.tif 000015
【図１４】
2006288611.tif 000016